(57)【要約】【課題】不審者にその防犯装置の存在を気付かれることなく、長期に亘って防犯機能を発揮する防犯機能付き積層構造体を提供する。【解決手段】金属板で絶縁性材料からなる誘導体を挟んだ積層構造を有し、住宅の外壁用建材やドア板材、車両のアウターパネル、ドアパネルに利用可能な積層電極板２０であって、人体の接近や接触に伴って対地容量が変化する電極板２０と、電極板２０の対地容量の変化を検知する検知回路１００とを有し、電極板２０に人体が接近又は接触することにより検知回路１００からの人体の接近又は接触度合いに対応して変化する出力に応じた可聴周波数による警告音を発報するようになっている。【選択図】図１
2008077494.tif 000002
【特許請求の範囲】
【請求項１】
金属板で絶縁性材料からなる誘導体を挟んだ積層構造を有し、住宅の外壁用建材やドア板材、車両のアウターパネル、ドアパネルに利用可能な積層電極板であって、人体の接近や接触に伴って当該電極板の対地容量が変化する電極板と、前記電極板の対地容量の変化を検知する検知回路とを有し、前記電極板に人体が接近又は接触することにより当該検知回路からの前記人体の接近又は接触度合いに対応して変化する出力に応じた可聴周波数による警告音を発報するようにしたことを特徴とする防犯機能付き積層構造体。
【請求項２】
前記電極板の対地容量の変化に代えて人体が誘導しているノイズを前記検知回路が検知し、当該ノイズの大小に対応して変化する出力に応じた可聴周波数による警告音を発報するようにしたことを特徴とする、請求項１に記載の防犯機能付き積層構造体。
【請求項３】
前記電極板を振動させることで当該電極板全体から警告音を発報するドライバユニットが前記電極板の少なくとも一方の面に備わっていることを特徴とする、請求項１又は請求項２に記載の防犯機能付き積層構造体。
【請求項４】
前記電極板の金属板がアルミニウム板からなり、前記絶縁性材料からなる誘電体がポリエチレンからなることを特徴とする、請求項１乃至請求項３の何れかに記載の防犯機能付き積層構造体。
【発明の詳細な説明】
【技術分野】
【０００１】
本発明は、例えば住居等に不審者が近づいたり、不法侵入したりするのを効果的に防止する防犯機能付き積層構造体に関する。
【背景技術】
【０００２】
近年、例えば住居に不審者が近づいたり不法侵入したりするのを防止するために、様々な防犯装置が用いられている。そして、このような防犯装置の一例としてＴＶカメラや赤外線センサを用いたものが知られている（例えば、特許文献１及び特許文献２参照）。かかる防犯装置は、特許文献１に記載のものがＴＶカメラを用いており、これを同文献の図１に示すように、ビルの複数の箇所に設置して不審者の接近を感知するようになっている。
【０００３】
また、特許文献２に記載のものは赤外線センサを用いており、これを同文献の図２に示すように、ガラス戸に設置して不審者の接近を感知するようになっている。
【特許文献１】特開平１−２３３９３号公報（２頁、第１図）
【特許文献２】特開２００２−４２２５５号公報（３−４頁、図２）
【発明の開示】
【発明が解決しようとする課題】
【０００４】
しかしながら、かかる防犯装置に使用される対人近接装置及び警告装置は建物のドアやガラスに後付けするタイプのものが多く、このようなＴＶカメラや赤外線センサによる防犯装置は不審者にその存在を察知され易い。
【０００５】
一方、特開２００２−９０２１３号公報に示すように、建物の周囲の地中に埋め込んで不審者が住宅周囲の地面を歩く際に足から受ける圧力でその者の存在を検知する静電容量型感圧テープセンサからなる防犯装置も知られている。
【０００６】
しかしながら、このような建物の周囲の土中に埋め込むタイプの防犯装置では、不審者から受ける足の圧力によってその者の存在を感度良く検出するために微妙な調整を必要とすると共に、地面の中に埋め込むタイプのため、設置作業が大変である。また、人間以外の犬や猫などの動物を不審者と誤って検知する虞もある。更には、建物の周囲全体に亘ってこの防犯装置を埋設しなければ十分な防犯効果を得られず、その設置コストが高価なものとなる。また、このような地中埋め込み型の防犯装置は雨や土などによって劣化し易く長期間に亘っての使用に適さない。
【０００７】
また、このような防犯機能を備えた静電容量型感圧テープセンサを例えば住宅のベランダ部分やサッシ等に貼り付けた場合、不審者にその防犯装置の存在を容易に悟られてしまう。
【０００８】
本発明の目的は、上述のような各種防犯装置の欠点を解決するものであり、不審者にその防犯装置の存在を気付かれることなく、長期に亘って防犯機能を発揮する防犯機能付き積層構造体を提供することにある。
【課題を解決するための手段】
【０００９】
上述した課題を解決するために、本発明にかかる防犯機能付き積層構造体は、
金属板で絶縁性材料からなる誘導体を挟んだ積層構造を有し、住宅の外壁用建材やドア板材、車両のアウターパネル、ドアパネルに利用可能な積層電極板であって、人体の接近や接触に伴って当該電極板の対地容量が変化する電極板と、前記電極板の対地容量の変化を検知する検知回路とを有し、前記電極板に人体が接近又は接触することにより当該検知回路からの前記人体の接近又は接触度合いに対応して変化する出力に応じた可聴周波数による警告音を発報するようにしたことを特徴としている。
【００１０】
このような防犯機能付き積層構造体を住宅のドアや外壁面の建材に利用したり車両のドアやアウターパネルなどに利用したりすることで、その積層構造体自体が十分な強度を有するので容易に壊されることなく、それ自身で強度上の防犯機能を発揮することに加えて、外観上不審者の存在を感知する防犯機能を有していることを不審者に悟られることなく、不審者の接近に対していきなり警告音を発報することで十分な威嚇効果が得られ、防犯機能の実効を上げることができる。
【００１１】
また、本発明の請求項２に記載の防犯機能付き積層構造体は、請求項１に記載の防犯機能付き積層構造体において、
前記電極板の対地容量の変化に代えて人体が誘導しているノイズを前記検知回路が検知し、当該ノイズの大小に対応して変化する出力に応じた可聴周波数による警告音を発報するようにしたことを特徴としている。
【００１２】
人体が街中で電灯や電線の誘導サイクルによって受ける誘導ノイズをこの電極板で検出して、このノイズの大小に応じて変化する警告音を発報することによっても、不審者に防犯機能を有していることを悟られることなく、不審者の接近に対していきなり警告音を発報することで十分な威嚇効果が得られ、防犯機能の実効を上げることができる。
【００１３】
また、本発明の請求項３に記載の防犯機能付き積層構造体は、請求項１又は請求項２に記載の防犯機能付き積層構造体において、
前記電極板を振動させることで当該電極板全体から警告音を発報するドライバユニットが前記電極板の少なくとも一方の面に備わっていることを特徴としている。
【００１４】
このような構造を有することで、電極板全体がスピーカとなって警告音を発報することでき、不審者の不意をついた警告音の発報が可能となり、従来の防犯装置よりも不審者を格段かつ効果的に威嚇できる。
【００１５】
また、本発明の請求項４に記載の防犯機能付き積層構造体は、請求項１乃至請求項３の何れかに記載の防犯機能付き積層構造体において、
前記電極板の金属板がアルミニウム板からなり、前記絶縁性材料からなる誘電体がポリエチレンからなることを特徴としている。
【００１６】
電極板をこのような材質から構成することで、安価な建材を利用した防犯機能付き積層構造体を低コストで実現することができる。
【発明の効果】
【００１７】
本発明の防犯機能付き積層構造体によると、不審者にその防犯装置の存在を気付かれることなく、長期に亘って防犯機能を発揮する防犯機能付き積層構造体を提供することができる。
【発明を実施するための最良の形態】
【００１８】
以下、本発明の一実施形態にかかる防犯機能付き積層構造体について図面に基づいて説明する。
【００１９】
本発明の一実施形態にかかる防犯機能付き積層構造体は、本実施形態では住宅のドア用建材として利用されている。このドア１は、図１及び図２に示すように断面略コの字型の強固な絶縁材からなる矩形状のフレーム１０と、フレーム１０の一方の開口部１１、即ちドア１を住居に設置した状態で住居の外側に向かう開口部１１を塞ぐように取り付けられた電極板２０と、フレーム１０の他方の開口部１２、即ちドア１を住居に設置した状態で住居の内側に向かう開口部１２を塞ぐように取り付けられた内壁板３０を有している。
【００２０】
そして、電極板２０と内壁板３０との間には、ある程度の空間が形成され、この空間中において電極板２０の裏面に警告音発生用のドライバユニット４０が備わる共に、内壁板３０の内側面に本発明にかかる防犯機能付き積層構造体の不審者への威嚇機能を発揮するための検知ユニットボックス５０が備わっている。
【００２１】
電極板２０は本実施形態では導電体である二枚の薄板からなるアルミニウム板２１，２２の間に誘電体（絶縁体）の薄板からなるポリエチレン板２５を挟んだ積層構造を有し、この積層構造によってコンデンサが形成されている。そして、電極板２０は、人体が近づいたり離れたりすることにより対地容量が変化する可変コンデンサとして機能する。
【００２２】
なお、本実施形態においては、電極板２０には人体の接近や接触を感度良く検出するのに適した大きさ及び厚みを有した二枚のアルミニウム板２１，２２とポリエチレン板２５を用いている。なお、現在のところこのような電極板２０として使用できる建材用の積層構造板として厚さ１．２mm〜６．０mmのものが知られているが、電極板２０にこれらの適当な厚さの積層構造板を適宜使用しても良く、このような厚さの積層構造板以外の積層構造板を電極板２０に使用しても良い。そして、この電極板２０は、その下端を例えば地面から４０cm程度離し、かつ電極板２０の前面に人がいない状態で固定した場合に人体の接近や接触を感度良く検出するのに適した例えば数百ｐＦを程度の静電容量を有している。
【００２３】
このように電極板２０が、アルミニウム板２１，２２でポリエチレン板２５を挟んだ積層構造を有する加工性に優れた材質でできていることで製造し易い。また、通常の建材として利用されているこのような積層構造体を電極板２０として利用することができ、製造コストを抑えることができる。
【００２４】
ドライバユニット４０は、電極板自体を振動させてドア全体から警告音を発生するようになっている。そして、これによって不審者を威嚇するのに十分な機能を果たすようになっている。ドライバユニット４０としては、例えば特許第３８０８０１５号に記載されたドライバユニットが用いられているが、電極板全体を振動させて警告音を発生し、不審者を威嚇するのに適していれば、どのようなドライバユニットを用いても良い。即ち、ドライバユニット４０は、大型のスピーカを鳴らすのに用いられる一般的なドライバユニットであっても、剛性の比較的大きい電極板２０を振動させて警告音を発生させることができれば、十分利用可能である。なお、ドライバユニット４０は、本実施形態では電線４１を介して住宅内から駆動電力が供給されるようになっている。しかしながら、バッテリ等を隣接配置してこれから駆動電力を供給するようにしても良い。また、電線４１を介して住宅内から駆動電力が供給されることに加えて、停電対策としてのバックアップ用のバッテリを備えていても良い。
【００２５】
検知ユニットボックス５０は、その内部に図３に示す威嚇音信号生成回路１００を備え、この威嚇音信号生成回路１００が電線５１によって電極板２０と電気的に接続されると共に、電線４１によってドライバユニット４０とも電気的に接続され、電極板２０に人が近づいた時に、電極板２０の対地容量変化を検知してドライバユニット４０にこの対地容量の変化量に応じた周波数の威嚇音発生信号を送るようになっている。
【００２６】
また、検知ユニットボックス５０の威嚇音信号生成回路１００は、図３に示すようになっている。以下にこの作用について詳細に説明する。
【００２７】
図３は、本実施形態にかかる防犯機能付き積層構造体に用いられる発振制御型の威嚇音信号生成回路１００の構成を示すブロック図である。
【００２８】
この威嚇音信号生成回路１００は、基準発振器１１０、分割回路１２０、比較回路１３０、電圧制御発振器１４０、緩衝増幅器１６０、及び電力増幅器１７０から構成されている。
【００２９】
そして、分割回路１２０が電極板２０の一方の（ドア外側の）アルミニウム板２２に接続され、電極板２０の他方の（ドア内側の）アルミニウム板２１は接地（アース）されている。また、電力増幅器１７０は本実施形態の場合、ドライバユニット４０と電極板２０からなるスピーカ１８０に接続されている。なお、図３においては、図示説明の都合上、電極板２０が２箇所に示されているが、本実施形態ではこれを共用して１つの電極板２０として構成している。
【００３０】
なお、ドアノブや室内から室外を見るための小さなのぞき窓をドアに備えるときは、電極板２０の対向するアルミニウム板同士を短絡させないようにゴム等の絶縁材を介してこれらを取り付けることが必要とされる。
【００３１】
また、地面とドア外側のアルミニウム板２２との間を例えば金属製の工具などで短絡させないように留意することが求められる。
【００３２】
電極板２０は、上述したように不審者が手を近づけたり離したりすることにより対地容量が変化する可変コンデンサとして機能し、人体センサとしての役目を果たしている。なぜならば、人体は一種の導体であるからである。
【００３３】
基準発振器１１０は、威嚇音の音程制御用の周波数可変発振器であり、ＬＣ発振器やＣＲ発振器といったコンデンサＣの容量変化により周波数を可変できる発振器から構成されている。この基準発振器１１０は、電極板２０の前面に人がいない状態での対地容量に対応して所定の基準周波数で発振する信号を生成するようになっている。この基準発振器１１０の発振周波数は、電極板２０の容量によって実用的な範囲が決定され、例えば１００ｋＨｚ〜１ＭＨｚ程度である。
【００３４】
この基準発振器１１０から出力される信号は、コモンモードアンプと検波器を有する比較回路１３０に直接送られると共に、対人近接検知用の分割回路１２０にも送られるようになっている。分割回路１２０は、電極板２０に人が接近したり接触したりすることにより電極板２０の対地容量の変化に応じて基準発振器１１０からの出力とは異なる出力を発生し、比較回路１３０にこの出力を送るようになっている。比較回路１３０では、基準発振器１１０の出力と分割回路１２０の出力の差、即ち、人が電極板２０に近づく近づき度合いや接触度合いに応じて変化する出力差ΔＶを出力し、この出力差ΔＶを電圧制御発振器１４０に送るようになっている。
【００３５】
ＶＣＯ（Voltage Controlled Oscillator）と呼ばれる電圧制御発振器１４０は、電圧−周波数（Ｖ−Ｆ）変換を行い、出力差ΔＶに対応する可聴周波数帯の周波数（２０Ｈｚ〜１５ｋＨｚ程度）で発振する信号を生成するようになっている。この電圧制御発振器１４０で発生された信号は、緩衝増幅器１６０及び電力増幅器１７０を介してドライバユニット４０に送られるようになっている。なお、緩衝増幅器１６０は、後段である電力増幅器１７０により電圧制御発振器１４０の発振周波数が変動しないようにすると共に、タイマを内部に備えている。
【００３６】
タイマは、例えば一定の閾値以上の出力差ΔＶが一定時間続いたか否かを判断するのに用いられる。これによって、例えば来訪者が呼び鈴を鳴らす際のドア１への接近程度ではこの閾値以上の出力差ΔＶとならず、また、来訪者が僅かな時間だけドアに触れてもこの一定の閾値以上の出力差ΔＶがタイマで規定された所定時間以上継続することなく、このような場合には警告音を発生させないようにしている。
【００３７】
一方、不審者が鍵穴を壊すためにドア１の前面に長時間かがんでいたり、ドア１の鍵穴周りを一定時間以上触れていたりすると、一定の閾値以上の出力差ΔＶが所定時間継続したことをタイマにより検知し、この出力差ΔＶを電力増幅器１７０に送り、不審者の動きに応じた電極板２０の対地容量の変化に対応する出力差ΔＶに基づいてドライバユニット４０を駆動させることで、電極板全体を振動させて警告音を発生して不審者を威嚇するようになっている。
【００３８】
なお、本実施形態による威嚇音信号生成回路１００によると、上述した電極板２０の対地容量変化に加えて、人体が街中で電灯や電線の誘導サイクルによって受ける誘導ノイズをこの電極板２０で検出して、このノイズの大小に応じて変化する周期の大きい周波数の出力を緩衝増幅器１６０及び電力増幅器１７０で増幅して警告音を発することも可能となっている。
【００３９】
次に、上記のように構成される防犯機能付き積層構造体の作用をより具体的に説明する。なお、この防犯機能付き積層構造体は、上述した通り本実施形態では住宅のドア用の建材として用いられている。ここでは図示しないスイッチを入れると、基準発振器１１０は、電極板２０の規定の対地容量に応じた周波数で発振を開始する。
【００４０】
この状態で、例えば不審者が住居に近づき、ドアの取っ手の鍵を壊したりするために不審者の手が電極板２０に近づいたり接触したりすると、電極板２０の対地容量が変化し、基準発振器１１０からの基準信号とは異なり不審者の手のドアへの近づき度合いや接触度合いに応じて変化する出力を分割回路１２０から比較回路１３０に出力する。そして、比較回路１３０で基準発振器１１０の出力と分割回路１２０の出力差ΔＶを求め、この出力差ΔＶに基づき電圧制御発振器１４０は、比較回路１３０から送られてくる出力差ΔＶに応じた可聴帯域の周波数を発生し、緩衝増幅器１６０を介して電力増幅器１７０に信号を送り、ドライバユニット４０を駆動して電極板全体を振動させる。
【００４１】
なお、緩衝増幅器１６０にはタイマが内蔵され、一定の閾値以上の出力差ΔＶが一定時間続いた場合だけ、この出力差ΔＶを電力増幅器１７０に送るようになっている。これによって、例えば来訪者が呼び鈴を鳴らす際のドアへの接近程度ではこの閾値以上の出力差ΔＶとならず、また、来訪者が僅かな時間だけドアに触れてもこの一定の閾値以上の出力差ΔＶがタイマで規定された所定時間以上継続することなく、このような場合には警告音を発生させないようにできる。
【００４２】
一方、不審者が鍵穴を壊すためにドアの前面に長時間かがんでいたり、ドアの鍵穴周りを一定時間以上触れていたりすると、一定の閾値以上の出力差ΔＶが所定時間継続したことをタイマにより検知し、不審者の動きに応じた出力差ΔＶを電力増幅器１７０に伝えて増幅し、この増幅した警告音信号をドライバユニット４０に伝え、ドライバユニット４０を駆動させることでドライバユニット４０と協働してスピーカ１８０を構成する電極板全体を振動させ、不審者の動きに応じて周波数（音程）が変化する警告音として不審者を威嚇する。これによって、不審者を驚かせてその場から退散させることが可能となる。
【００４３】
続いて、上述した実施形態の変形例にかかる防犯機能付き積層構造体について説明する。なお、この変形例にかかる防犯機能付き積層構造体は、威嚇音発生信号処理回路の一部だけ上述した実施形態と異なり、それ以外の電極板２０やドライバユニット４０の構成については上述した実施形態と同等であるので、共通する部分については詳細な説明を省略する。
【００４４】
この威嚇音信号生成回路２００は、図４に示すように、基準発振器２１０、分割回路２２０、比較回路２３０、可聴音発振器２５０、緩衝増幅器２６０、及び電力増幅器２７０から構成されている。
【００４５】
そして、分割回路２２０が電極板２０の一方（ドア外側の）の電極をなすアルミニウム板２２に接続され、電極板２０の他方（ドア内側の）の電極をなすアルミニウム板２１は接地（アース）されている。また、電力増幅器２７０は本変形例の場合、ドライバユニット４０と電極板２０からなるスピーカ２８０に接続されている。なお、図４においても、図示説明の都合上電極板２０は２箇所に示されているが、本変形例においても電極板２０は一つの電極板として構成されている。
【００４６】
電極板２０は、上述したように不審者が電極板２０に手を近づけたり離したり手を接触させたりすることにより対地容量が変化する可変コンデンサとして機能し、人体センサと考えることができる。なぜならば、人体は一種の導体であるからである。
【００４７】
基準発振器２１０は、本変形例では威嚇音の音量制御用の周波数可変発振器であり、ＬＣ発振器やＣＲ発振器といったコンデンサＣの容量変化により周波数を可変できる発振器から構成されている。この基準発振器２１０は、電極板２０の前面に人がいない状態での対地容量に対応した所定の基準周波数で発振する信号を生成するようになっている。この基準発振器２１０の発振周波数は、電極板２０の容量によって実用的な範囲が決定され、上述の実施形態と同様に例えば１００ｋＨｚ〜１ＭＨｚ程度である。この基準発振器２１０から出力される信号は、比較回路２３０に直接送られると共に、分割回路２２０にも送られるようになっている。
【００４８】
分割回路２２０は、電極板２０に人が接近したり接触したりすることにより対地容量の変化に応じて基準発振器２１０からの出力とは異なる出力を発生し、比較回路２３０にこの出力を送るようになっている。
【００４９】
比較回路２３０では、基準発振器２１０の出力と分割回路２２０の出力の差、即ち人が電極板２０に近づく近づき度合いや接触度合いに応じて瞬時に変化する出力差ΔＶを出力し、この出力差ΔＶを緩衝増幅器２６０に送るようになっている。緩衝増幅器２６０は、後段である電力増幅器２７０により比較回路２３０の発振周波数が変動しないようになっていると共に、タイマを内蔵している。
【００５０】
タイマは、上述した実施形態と同様に、例えば一定の閾値以上の出力差ΔＶが一定時間続いたか否かを判断するのに用いられる。これによって、例えば来訪者が呼び鈴を鳴らす際のドア１への接近程度ではこの閾値以上の出力差ΔＶとならず、また、来訪者が僅かな時間だけドア１に触れてもこの一定の閾値以上の出力差ΔＶがタイマで規定された所定時間以上継続することなく、このような場合には警告音を発生させないようにしている。
【００５１】
一方、不審者が鍵穴を壊すためにドアの前面に長時間かがんでいたり、ドアの鍵穴周りを一定時間以上触れていたりすると、一定の閾値以上の出力差ΔＶが所定時間継続したことをタイマにより検知し、威嚇音信号として電力増幅器２７０に送るようになっている。
【００５２】
また、緩衝増幅器２６０に接続された可聴音発振器２５０は、ＡＦＯ（Audio Frequency Oscillator）と呼ばれるもので、周波数一定で振幅が出力差ΔＶに対応して変化するようになっており、この可聴音発振器２５０で発生した一定周波数の振幅を出力差ΔＶに応じて変化させるようになっている。出力差ΔＶによって振幅が変化した可聴音発振器２５０からの出力は、一定の閾値以上の出力差ΔＶが緩衝増幅器２６０のタイマにより一定時間以上検出されたときだけ電力増幅器２７０で増幅され、ドライバユニット４０に送られるようになっている。そして、電極板２０の対地容量の変化に応じた出力差ΔＶに対応して、このドライバユニット４０を駆動させることで、電極板２０を全体的に振動させて音量の変化する警告音を発生して不審者を威嚇するようになっている。
【００５３】
なお、本変形例による威嚇音信号生成回路２００においても、上述した電極板２０の対地容量変化に加えて、人体が街中で電灯や電線の誘導サイクルによって受ける誘導ノイズをこの電極板２０で検出して、このノイズの大小に応じて変化する周期の大きい出力を各増幅器で増幅して警告音を発することも可能となっている。
【００５４】
このような変形例に係る防犯機能付き積層構造体を用いたドアを住宅に取り付けても、上述の実施形態と同様の効果を発揮する。即ち、不審者が住居に近づきドアの鍵穴などを壊すために不審者の手が電極板２０に近づいたり接触したりすると、電極板２０の対地容量が変化し、分割回路２２０は基準発振器２１０から入力された基準信号をそれに応じて変化させ、その対地容量の変化量に応じた電圧を有する交流信号を比較回路２３０に送る。比較回路２３０は、分割回路２２０の出力と基準発振器２１０の出力との出力差ΔＶを緩衝増幅器２６０に送り、緩衝増幅器２６０に接続された可聴音発振器２５０で発生した一定周波数の振幅を出力差ΔＶに応じて変化させる。
【００５５】
なお、緩衝増幅器２６０にはタイマが内蔵されているので、一定の閾値以上の出力差ΔＶが一定時間続いたか否かを判断する。これによって、例えば来訪者が呼び鈴を鳴らす際のドアへの接近程度ではこの閾値以上の出力差ΔＶとならず、また、来訪者が僅かな時間だけドア周囲の電極板２０に触れてもこの一定の閾値以上の出力差ΔＶがタイマで規定された所定時間以上継続することなく、このような場合には警告音を発生させない。
【００５６】
一方、不審者が鍵穴を壊すためにドアの前面に長時間かがんでいたり、ドアの鍵穴周りを一定時間以上触れていたりすると、一定の閾値以上の出力差ΔＶが所定時間継続したことをタイマにより検知し、不審者の動きに応じて出力差ΔＶによって振幅が変化した可聴音発振器２５０からの出力信号を電力増幅器２７０で増幅し、警告音信号としてドライバユニット４０に伝え、ドライバユニット４０を駆動させることでドライバユニット４０と協働してスピーカ２８０を構成する電極板全体を振動させ、不審者の動きに応じて音量の変化する警告音として不審者を威嚇する。
【００５７】
なお、この変形例に係る防犯機能付き積層構造体を備えたドアは、不審者の動きに応じてドア全体の発報する音量が変化することで不審者を威嚇する点で、
上述の実施形態のように不審者の動きに応じてドア全体が発報する警告音の音程を変化させる点で異なっているが、両者とも不審者を予期せぬ威嚇方法で威嚇でき、退散させる点では同等の効果を発揮する。
【００５８】
また、この変形例においては、不審者が電極板２０に近づけば近付くほど警告音の音量が大きくなるように信号処理することが不審者を威嚇する点で好ましいといえる。
【００５９】
以上のような構成を有する防犯機能付き積層構造体を備えたドアを住宅のドアとして利用すると、例えば不審者の住宅に近づいた時に、不審者は従来のような赤外線センサや防犯カメラの有無についてまず調べ、これが設置していないことを確認した後、侵入し易いドアに近づく。不審者がこのドアに近づいた後、電極板の対地容量が変化して所定の閾値を超えて出力差ΔＶが夜間の来訪者の程度を超えた状態で所定の時間以上続いた場合、その出力差ΔＶに応じてドライバユニットが駆動して積層構造体自体を振動させて警告音を発する。
【００６０】
このような電極板全体を振動させて不審者の動きに応じて音程や音量変化が変化する警告音をドア全体が発することで、不審者は突然のドア全体からの警告音に驚いて一目散に退散する。
【００６１】
なお、このように警告音に対して不審者が退散しない場合であっても、電極板２０への人体の接近度合いや接触度合いに対応した変化量ΔＶに応じて電極板２０の発する威嚇音の音程や音量も変化するようになっているので、あたかも暗闇の中から猛犬や猛獣に吠えられているような恐怖心を不審者に与えることができ、不審者がその場に留まることをできなくさせる。
【００６２】
以上説明したように、従来のように外付けタイプの防犯カメラや赤外線センサなどはその存在が不審者に直ぐに悟られてしまうので不審者は例えばこれを壊した後住宅に不法侵入することが可能であったが、本発明による防犯機能付き積層構造体を備えたドアでは、一見すると防犯機能装置が備わっていることを不審者に悟られることなく、不審者がドアに近づくにつれてドア全体から発生する警告音の音程や音量が変化するので、ドアのどの部分を壊したらこの警告音が止まるのか不審者は理解できず、かつドアを壊そうとして手をドアに近づければ近づけるほど警告音の音程や音量が変化して周囲に目立ってしまうので、不審者はなすべくもなく退散せざるを得なくなる。
【００６３】
このようにして、本実施形態による防犯機能付き積層構造体を備えたドアは、不審者の住居への侵入を未然にかつ確実に防止することができ、不法侵入に慣れた不審者に対しても住居侵入の抑止力を与えることができる。
【００６４】
以上説明した不審者の存在検出方法は、人体の接近に伴って対地容量が変化する電極板への人体の接近又は接触度合いに対応して変化する出力差を利用していたが、この代わりに、人体が街中で電灯や電線の誘導サイクルによって受ける周期の大きい誘導ノイズをこの電極板で検出して、このノイズの大小に応じて変化する出力差を利用しても良い。
【００６５】
なお、図５の点線Ａ１〜Ａ３として示すように、このような防犯機能付き積層構造体は、住宅のドアＤへの不審者の接近を検出するために使用する（図中点線Ａ１参照）使用態様には限定されない。即ち、例えば住宅のサッシＳの周囲壁面にこの防犯機能付き積層構造体を建材として用いても良い（図中点線Ａ２参照）。このようにした場合でも、不審者がサッシＳを壊して住居に侵入するのを効果的に防止できる。
【００６６】
更には、このような防犯機能付き積層構造体を住宅の外壁Ｗに用いることで（図中点線Ａ３参照）、夜間の不審者の不法侵入を未然に防止するだけでなく、夜間に壁面に落書きされるのを防止したり、酔っ払いが夜間壁面に立ち小便をするのを防止したりもできる。
【００６７】
なお、上述の住宅のドアＤやサッシＳ付近の壁面、外壁Ｗにこの防犯機能付き積層構造体を使用する際、この下端を地面から約４０ｃｍ〜５０ｃｍ以上離すのが好ましい。このように設置することで、犬や猫などが住居の周りを歩き回った場合にこの防犯機能付き積層構造体がこれらを誤って検知して威嚇音を発生しないようにすることができる。
【００６８】
また、このような防犯機能付き積層構造体を例えば、車両の現金輸送車のドアやドア以外のサイドパネル、ボンネット、ルーフパネル等のアウターパネルに利用しても良い。このようにすることで、現金輸送中や輸送の出し入れ時に不審者が近づいたのをドア全体やアウターパネルの一部がいきなり振動すると共に警告音を発生して不審者を威嚇することができる。
【００６９】
また、このような防犯機能付き積層構造体を例えばケアホームと呼ばれる福祉介護施設内の扉に適所に設置しても良い。このような用い方をすることで、近年問題となっているケアホーム入居者の施設内での夜間徘徊や施設外への許可なき外出を効果的に防止する。
【００７０】
また、このような防犯機能付き積層構造体を特定の者を収監するような施設内のドアや壁に取り付けても良い。このような用い方をすることで、収監した者が無断で施設外へ出てしまうことを防止できる。
【００７１】
また、このような防犯機能つき積層構造体を病院内で防犯とは別の目的にも利用しても良い。具体的には、従来では患者の異常時にナースコールなどの押しボタンを押さないとトイレ内での患者の異変を外部に知らせることができなかったが、本発明にかかる防犯機能付き積層構造体をこのような病院のトイレ内の壁面に設置すると、トイレ内にいる患者の具合いが急に悪くなってトイレ内の壁面に倒れかかってしまう際にトイレの壁面の一部をなす電極板がこの患者の接近や接触を検出することで、患者が気を失うような状態であってもこの危険状態をナースセンターにいち早く知らせることができる。
【００７２】
なお、以上説明した防犯機能付き積層構造体は、人体検知用コンデンサとしての役目を果たす電極板自体にドライバユニットに取り付けて電極板自体を振動させたが、必ずしもこれに限定されず、電極板の付近に一般的な警告音を発報するスピーカを設置して不審者を検知した時にこの外付けスピーカから警告音を発生するようにしても良い。
【００７３】
このようにすることでも十分な威嚇効果を発揮することが可能である。しかしながら、本実施形態のように電極板自体を振動させて警告音を発生させた方が不審者を不気味がらせることに関して十分な効果を発揮でき、防犯機能を更に高めることができる。
【００７４】
また、上述のように電極板自体をスピーカとして利用することに加えて、不審者の存在している場所をスポットライトで照らすことにより、防犯機能を更に高めても良い。
【００７５】
また、例えばドアや壁面にこの防犯機能つき積層構造体を取り付ける際、複数の防犯機能付き積層構造体を並べて取り付け、それぞれが不審者の接近や接触に応じて独立して警告音を発生させても良い。このようにすることで、不審者の動きに応じてドアや壁面の様々な場所から警告音を発生することでき、不審者への威嚇効果をより一層高めることができる。
【００７６】
なお、上述した電極板を構成する材質は、アルミニウム板とこれに挟まれたポリエチレン板（ポリエチレン樹脂）であることには限定されない。すなわち、本発明の作用を発揮し得るような電極板、つまり人体との間の距離に応じて容量が変化する電極板であれば良く、アルミニウム板に代えて例えばステンレス板や銅板などの良導体からなる金属でポリスチロール等の樹脂やマイカ等の無機物からなる絶縁体を挟みこんで構成された電極板を使用可能であることは言うまでもない。なお、ステンレス板を電極板の外側の金属板とすることで、強度及び耐食性に優れ長期間に亘って使用可能な防犯機能付き積層構造体とすることができる。
【図面の簡単な説明】
【００７７】
【図１】本発明の一実施形態にかかる防犯機能付き積層構造体をドアに適用した場合を一部破断して示す斜視図である。
【図２】図１に示した防犯機能付き積層構造体を取付け状態で水平方向に沿って切断した断面図である。
【図３】図１及び図２に示した防犯機能付き積層構造体の威嚇音信号発生回路に関するブロック図である。
【図４】図３に示した防犯機能付き積層構造体の威嚇音信号生成回路の変形例を示すブロック図である。
【図５】本発明にかかる防犯機能付き積層構造体の実際の使用態様の一例を説明した図である。
【符号の説明】
【００７８】
１    ドア
１０    フレーム
１１    一方の開口部
１２    他方の開口部
２０    電極板
２１，２２    アルミニウム板
２５    ポリエチレン板
３０    内壁板
４０    ドライバユニット
４１    電線
５０    検知ユニットボックス
５１    電線
１００    威嚇音信号生成回路
１１０    基準発振器
１２０    分割回路
１３０    比較回路
１４０    電圧制御発振器
１６０    緩衝増幅器
１７０    電力増幅器
１８０    スピーカ
２００    威嚇音信号生成回路
２１０    基準発振器
２２０    分割回路
２３０    比較回路
２５０    可聴音発振器
２６０    緩衝増幅器
２７０    電力増幅器
２８０    スピーカ
Ｄ    ドア       
Ｓ    サッシ
Ｗ    外壁
【図１】
2008077494.tif 000003
【図２】
2008077494.tif 000004
【図３】
2008077494.tif 000005
【図４】
2008077494.tif 000006
【図５】
2008077494.tif 000007
【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
フレームと、前記フレームの一方の開口部を塞ぐように取り付けられ積層構造を有した電極板と、前記フレームの他方の開口部を塞ぐように取り付けられた内壁板を有し、前記電極板と内壁板との間には空間が形成され、当該空間中において前記電極板の裏面に警告音発生用のドライバユニットが備わると共に、前記電極板には当該電極板の対地容量の変化を検知する検知回路が電気的に接続された防犯機能付き積層構造体であって、
前記電極板は、金属板で絶縁性材料からなる誘導体を挟んだ積層構造を有し、前記電極板への人体の接近や接触に伴って当該電極板の対地容量が変化するようになっており、
前記人体の接近又は接触度合いに対応して変化する当該電極板の対地容量の変化を当該検知回路によって検知し、この検知した出力に応じて前記電極板を前記ドライバユニットによって振動させることで当該電極板全体から可聴周波数による警告音を発報するようになったことを特徴とする防犯機能付き積層構造体。
【請求項２】
前記電極板の金属板がアルミニウム板からなり、前記絶縁性材料からなる誘電体がポリエチレンからなることを特徴とする、請求項１に記載の防犯機能付き積層構造体。
【請求項３】
フレームと、前記フレームの一方の開口部を塞ぐように取り付けられ積層構造を有した電極板と、前記フレームの他方の開口部を塞ぐように取り付けられた内壁板を有し、前記電極板と内壁板との間には空間が形成され、当該空間中において前記電極板の裏面に警告音発生用のドライバユニットが備わると共に、前記電極板には当該電極板の対地容量の変化を検知する検知回路が電気的に接続された防犯機能付き積層構造体を用いたドアであって、
前記電極板は、金属板で絶縁性材料からなる誘導体を挟んだ積層構造を有し、前記電極板への人体の接近や接触に伴って当該電極板の対地容量が変化するようになっており、
前記人体の接近又は接触度合いに対応して変化する当該電極板の対地容量の変化を当該検知回路によって検知し、この検知した出力に応じて前記電極板を前記ドライバユニットによって振動させることで当該電極板全体から可聴周波数による警告音を発報するようになったことを特徴とする防犯機能付き積層構造体を用いたドア。
【請求項４】
前記電極板の金属板がアルミニウム板からなり、前記絶縁性材料からなる誘電体がポリエチレンからなることを特徴とする、請求項３に記載の防犯機能付き積層構造体を用いたドア。
【手続補正３】
【補正対象書類名】明細書
【補正対象項目名】０００１
【補正方法】変更
【補正の内容】
【０００１】
本発明は、例えば住居等に不審者が近づいたり、不法侵入したりするのを効果的に防止する防犯機能付き積層構造体及びこれを用いたドアに関する。
【手続補正４】
【補正対象書類名】明細書
【補正対象項目名】０００８
【補正方法】変更
【補正の内容】
【０００８】
本発明の目的は、上述のような各種防犯装置の欠点を解決するものであり、不審者にその防犯装置の存在を気付かれることなく、長期に亘って防犯機能を発揮する防犯機能付き積層構造体及びこれを用いたドアを提供することにある。
【手続補正５】
【補正対象書類名】明細書
【補正対象項目名】０００９
【補正方法】変更
【補正の内容】
【０００９】
上述した課題を解決するために、本発明にかかる防犯機能付き積層構造体は、
フレームと、前記フレームの一方の開口部を塞ぐように取り付けられ積層構造を有した電極板と、前記フレームの他方の開口部を塞ぐように取り付けられた内壁板を有し、前記電極板と内壁板との間には空間が形成され、当該空間中において前記電極板の裏面に警告音発生用のドライバユニットが備わると共に、前記電極板には当該電極板の対地容量の変化を検知する検知回路が電気的に接続された防犯機能付き積層構造体であって、
前記電極板は、金属板で絶縁性材料からなる誘導体を挟んだ積層構造を有し、前記電極板への人体の接近や接触に伴って当該電極板の対地容量が変化するようになっており、
前記人体の接近又は接触度合いに対応して変化する当該電極板の対地容量の変化を当該検知回路によって検知し、この検知した出力に応じて前記電極板を前記ドライバユニットによって振動させることで当該電極板全体から可聴周波数による警告音を発報するようになったことを特徴としている。
【手続補正６】
【補正対象書類名】明細書
【補正対象項目名】００１０
【補正方法】変更
【補正の内容】
【００１０】
このような防犯機能付き積層構造体を住宅のドアや外壁面の建材に利用したり車両のドアやアウターパネルなどに利用したりすることで、その積層構造体自体が十分な強度を有するので容易に壊されることなく、それ自身で強度上の防犯機能を発揮することに加えて、外観上不審者の存在を感知する防犯機能を有していることを不審者に悟られることなく、不審者の接近に対していきなり警告音を発報することで十分な威嚇効果が得られ、防犯機能の実効を上げることができる。
また、防犯機能付き積層構造体がこのような構造を有することで、電極板全体がスピーカとなって警告音を発報することでき、不審者の不意をついた警告音の発報が可能となり、従来の防犯装置よりも不審者を格段かつ効果的に威嚇できる。
【手続補正７】
【補正対象書類名】明細書
【補正対象項目名】００１１
【補正方法】変更
【補正の内容】
【００１１】
また、本発明の請求項２に記載の防犯機能付き積層構造体は、請求項１に記載の防犯機能付き積層構造体において、
前記電極板の金属板がアルミニウム板からなり、前記絶縁性材料からなる誘電体がポリエチレンからなることを特徴としている。
【手続補正８】
【補正対象書類名】明細書
【補正対象項目名】００１２
【補正方法】変更
【補正の内容】
【００１２】
電極板をこのような材質から構成することで、安価な建材を利用した防犯機能付き積層構造体を低コストで実現することができる。
【手続補正９】
【補正対象書類名】明細書
【補正対象項目名】００１３
【補正方法】変更
【補正の内容】
【００１３】
また、本発明の請求項３に記載の防犯機能付き積層構造体を用いたドアは、
フレームと、前記フレームの一方の開口部を塞ぐように取り付けられ積層構造を有した電極板と、前記フレームの他方の開口部を塞ぐように取り付けられた内壁板を有し、前記電極板と内壁板との間には空間が形成され、当該空間中において前記電極板の裏面に警告音発生用のドライバユニットが備わると共に、前記電極板には当該電極板の対地容量の変化を検知する検知回路が電気的に接続された防犯機能付き積層構造体を用いたドアであって、
前記電極板は、金属板で絶縁性材料からなる誘導体を挟んだ積層構造を有し、前記電極板への人体の接近や接触に伴って当該電極板の対地容量が変化するようになっており、
前記人体の接近又は接触度合いに対応して変化する当該電極板の対地容量の変化を当該検知回路によって検知し、この検知した出力に応じて前記電極板を前記ドライバユニットによって振動させることで当該電極板全体から可聴周波数による警告音を発報するようになったことを特徴としている。
【手続補正１０】
【補正対象書類名】明細書
【補正対象項目名】００１４
【補正方法】変更
【補正の内容】
【００１４】
このような防犯機能付き積層構造体を用いたドアは、その積層構造体自体が十分な強度を有するので容易に壊されることなく、それ自身で強度上の防犯機能を発揮することに加えて、外観上不審者の存在を感知する防犯機能を有していることを不審者に悟られることなく、不審者の接近に対していきなり警告音を発報することで十分な威嚇効果が得られ、防犯機能の実効を上げることができる。
また、防犯機能付き積層構造体を用いたドアがこのような構造を有することで、電極板全体がスピーカとなって警告音を発報することでき、不審者の不意をついた警告音の発報が可能となり、従来の防犯装置よりも不審者を格段かつ効果的に威嚇できる。
【手続補正１１】
【補正対象書類名】明細書
【補正対象項目名】００１５
【補正方法】変更
【補正の内容】
【００１５】
また、本発明の請求項４に記載の防犯機能付き積層構造体を用いたドアは、請求項３に記載の防犯機能付き積層構造体を用いたドアにおいて、
前記電極板の金属板がアルミニウム板からなり、前記絶縁性材料からなる誘電体がポリエチレンからなることを特徴としている。
【手続補正１２】
【補正対象書類名】明細書
【補正対象項目名】００１６
【補正方法】変更
【補正の内容】
【００１６】
電極板をこのような材質から構成することで、安価な建材を利用した防犯機能付き積層構造体を用いたドアを低コストで実現することができる。
【手続補正１３】
【補正対象書類名】明細書
【補正対象項目名】００１７
【補正方法】変更
【補正の内容】
【００１７】
本発明によると、不審者にその防犯装置の存在を気付かれることなく、長期に亘って防犯機能を発揮する防犯機能付き積層構造体及びこれを用いたドアを提供することができる。
【手続補正１４】
【補正対象書類名】明細書
【補正対象項目名】００３８
【補正方法】削除
【補正の内容】
【手続補正１５】
【補正対象書類名】明細書
【補正対象項目名】００５３
【補正方法】削除
【補正の内容】
【手続補正１６】
【補正対象書類名】明細書
【補正対象項目名】００５７
【補正方法】変更
【補正の内容】
【００５７】
なお、この変形例に係る防犯機能付き積層構造体を用いたドアは、不審者の動きに応じてドア全体の発報する音量が変化することで不審者を威嚇する点で、上述の実施形態のように不審者の動きに応じてドア全体が発報する警告音の音程を変化させる点で異なっているが、両者とも不審者を予期せぬ威嚇方法で威嚇でき、退散させる点では同等の効果を発揮する。
【手続補正１７】
【補正対象書類名】明細書
【補正対象項目名】００５９
【補正方法】変更
【補正の内容】
【００５９】
以上のような構成を有する防犯機能付き積層構造体を用いたドアを住宅のドアとして利用すると、例えば不審者の住宅に近づいた時に、不審者は従来のような赤外線センサや防犯カメラの有無についてまず調べ、これが設置していないことを確認した後、侵入し易いドアに近づく。不審者がこのドアに近づいた後、電極板の対地容量が変化して所定の閾値を超えて出力差ΔＶが夜間の来訪者の程度を超えた状態で所定の時間以上続いた場合、その出力差ΔＶに応じてドライバユニットが駆動して積層構造体自体を振動させて警告音を発する。
【手続補正１８】
【補正対象書類名】明細書
【補正対象項目名】００６２
【補正方法】変更
【補正の内容】
【００６２】
以上説明したように、従来のように外付けタイプの防犯カメラや赤外線センサなどはその存在が不審者に直ぐに悟られてしまうので不審者は例えばこれを壊した後住宅に不法侵入することが可能であったが、本発明による防犯機能付き積層構造体を用いたドアでは、一見すると防犯機能装置が備わっていることを不審者に悟られることなく、不審者がドアに近づくにつれてドア全体から発生する警告音の音程や音量が変化するので、ドアのどの部分を壊したらこの警告音が止まるのか不審者は理解できず、かつドアを壊そうとして手をドアに近づければ近づけるほど警告音の音程や音量が変化して周囲に目立ってしまうので、不審者はなすべくもなく退散せざるを得なくなる。
【手続補正１９】
【補正対象書類名】明細書
【補正対象項目名】００６３
【補正方法】変更
【補正の内容】
【００６３】
このようにして、本実施形態による防犯機能付き積層構造体を用いたドアは、不審者の住居への侵入を未然にかつ確実に防止することができ、不法侵入に慣れた不審者に対しても住居侵入の抑止力を与えることができる。
【手続補正２０】
【補正対象書類名】明細書
【補正対象項目名】００６４
【補正方法】削除
【補正の内容】